(57)【要約】【課題】組立作業性が良く、眼鏡フレームの材料としてチタン合金を用いた場合であっても、テンプルの開閉動作をスムーズに行なうことが可能な眼鏡フレームの蝶番構造を提供する。【解決手段】テンプル側蝶番耳２の上面の中央部分に、上端が開口した中空円筒状の軸体５を立設する。軸体５には、その上端からほぼ中央部にかけて、長手方向に沿わせて等間隔に４つのスリット６を形成する。智側蝶番耳３の中央部分に、上下に貫通する貫通孔８を設ける。智側蝶番耳３の貫通孔８にテンプル側蝶番耳２の軸体５を挿通し、軸体５のスリット６間の各片を貫通孔８の上部にカシメ止着する。軸体５を含むテンプル側蝶番耳２と智側蝶番耳３の摺接部分に、洋銀からなる摩擦緩和部材９を介在させる。【選択図】  図１
2004258545.tif 000002
【特許請求の範囲】
【請求項１】
フロントと他の部品とを連結する眼鏡フレームの蝶番構造であって、
フロント側の蝶番耳と他の部品側の蝶番耳とを備え、
前記フロント側の蝶番耳と前記他の部品側の蝶番耳のいずれか一方の蝶番耳に、先端が開口し、少なくとも先端から所定の長さを有する部分が中空状である軸体が立設されていると共に、他方の蝶番耳には、前記軸体を挿通するための貫通孔が設けられており、
前記軸体を前記貫通孔に挿通し、かつ、前記軸体の先端部を前記貫通孔の先端部にカシメ止着することにより、前記他の部品側の蝶番耳が前記フロント側の蝶番耳に対して回動自在に支持されていることを特徴とする眼鏡フレームの蝶番構造。
【請求項２】
前記他の部品側の蝶番耳と前記フロント側の蝶番耳の摺接部分に、両者間の摩擦抵抗を緩和する摩擦緩和部材が介在されている請求項１に記載の眼鏡フレームの蝶番構造。
【請求項３】
前記摩擦緩和部材が、前記他の部品側の蝶番耳と前記フロント側の蝶番耳のいずれか一方の蝶番耳と他方の蝶番耳との間に介在される第１摩擦緩和部材と、前記軸体の外周面と前記貫通孔の内周面との間に介在される両端が開口した円筒状の第２摩擦緩和部材とからなる請求項２に記載の眼鏡フレームの蝶番構造。
【請求項４】
前記第１摩擦緩和部材と前記第２摩擦緩和部材とが一体成形されている請求項３に記載の眼鏡フレームの蝶番構造。
【請求項５】
前記摩擦緩和部材が、洋銀、金、銀、白金、ステンレス鋼、ニッケル及びクロムからなる群から選ばれる１つの金属材料からなる請求項２〜４のいずれかに記載の眼鏡フレームの蝶番構造。
【請求項６】
前記摩擦緩和部材が樹脂材料からなる請求項２〜４のいずれかに記載の眼鏡フレームの蝶番構造。
【請求項７】
前記貫通孔の先端部が、先端に近づくにしたがって径が拡がるテーパ状に形成されている請求項１又は２に記載の眼鏡フレームの蝶番構造。
【請求項８】
前記貫通孔の先端部に、前記貫通孔の他の部分よりも径の大きい段差部が設けられている請求項１又は２に記載の眼鏡フレームの蝶番構造。
【請求項９】
前記軸体が中空円筒状に形成されている請求項１又は２に記載の眼鏡フレームの蝶番構造。
【請求項１０】
前記軸体の内周面に雌ネジ部が形成され、前記雌ネジ部にネジ材が螺着されている請求項９に記載の眼鏡フレームの蝶番構造。
【請求項１１】
前記雌ネジ部が、前記軸体が立設された前記蝶番耳にも連続して形成されている請求項１０に記載の眼鏡フレームの蝶番構造。
【請求項１２】
前記貫通孔の先端部が、先端に近づくにしたがって径が拡がるテーパ状に形成され、かつ、前記ネジ材の雄ネジ部と頭部との間の部分が、前記頭部に近づくにしたがって径が拡がるテーパ状に形成されている請求項１０又は１１に記載の眼鏡フレームの蝶番構造。
【請求項１３】
前記軸体の先端部に、前記軸体の長手方向に沿わせて複数のスリットが形成されている請求項９に記載の眼鏡フレームの蝶番構造。
【請求項１４】
前記他の部品側の蝶番耳と前記フロント側の蝶番耳が、ともに円柱状に形成されている請求項１〜１３に記載の眼鏡フレームの蝶番構造。
【発明の詳細な説明】
【０００１】
【発明の属する技術分野】
本発明は、眼鏡フレームの蝶番構造に関する。
【０００２】
【従来の技術】
図７に、眼鏡の全体構成の一例を示す。図７に示すように、眼鏡は、一般に、レンズ１５を保持固定するための左右一対のリム（レンズ縁）１６と、左右一対のリム１６を連結するブリッジ１７と、左右一対のリム１６の両端部に設けられた智（ち）１９と（リム１６とブリッジ１７と智１９を総称して『フロント』という）、左右一対のリム１６の鼻と接する部分に設けられた一対のパッド（鼻当て）１８と、智１９に蝶番２０を介して連結されたテンプル（つる部）２１と、テンプル２１の、耳と接する部分に取り付けられたプラスチック製のモダン（先セル）２２とにより構成されている。
【０００３】
上記のように、テンプル２１は、左右一対のリム１６の両端部に設けられた智１９に蝶番２０を介して連結されており、この蝶番構造には眼鏡用のネジ材が用いられている。従来、この種の蝶番構造としては、以下のようなものが知られている（特許文献１参照）。すなわち、当該特許文献１には、眼鏡用のネジ材として、その先端部に長手方向に沿わせて形成した少なくとも３つのスリットを有する中空裾部を備えたものを用いると共に、連結される智及びテンプルの双方の蝶番耳に形成されたネジ孔の挿入終端側に次第に径が拡がるテーパ状の斜面部を設け、眼鏡用のネジ材の中空裾部をネジ孔のテーパ状斜面部にカシメ止着するようにした蝶番構造が開示されている。そして、この蝶番構造を用いれば、螺着後のネジ材が、連結される智及びテンプルの双方の蝶番耳に形成されたネジ孔から脱落することを防止することができる。
【０００４】
また、眼鏡のフロントに表フロントフレームを取り付けて跳ね上げることができるようにした眼鏡フレームにおいても、フロントと表フロントフレームの連結部に、フロント側の蝶番耳と表フロントフレーム側の蝶番耳を眼鏡用のネジ材によって連結するようにした蝶番構造が採用されている（特許文献２参照）。
【０００５】
【特許文献１】実用新案登録第２６０４２６２号公報
【０００６】
【特許文献２】特開平１０−１１５８１１号公報
【０００７】
【発明が解決しようとする課題】
しかし、上記従来の眼鏡フレームの蝶番構造では、智にテンプルを連結する際に、智側蝶番耳に形成されたネジ孔とテンプル側蝶番耳に形成されたネジ孔とを位置合わせした状態で、ネジ孔にネジ材を挿入する必要があり、また、ネジ材、ネジ孔ともに微小であるため、組立作業性が悪いという問題点がある。また、軽量化と耐食性の向上を目的として、眼鏡フレームの材料としてチタン合金を用いた場合には、テンプル開閉時におけるテンプル側蝶番耳と前記智側蝶番耳の摺接部分の摩擦抵抗が大きくなり、テンプルの開閉動作をスムーズに行なうことが困難になるという問題もあった。また、フロントに表フロントフレームを連結する際にも上記と同様の問題がある。
【０００８】
本発明は、従来技術における前記課題を解決するためになされたものであり、組立作業性の良い眼鏡フレームの蝶番構造を提供することを目的とする。また、本発明は、眼鏡フレームの材料としてチタン合金を用いた場合であっても、テンプルの開閉動作や表フロントフレームの跳ね上げ動作をスムーズに行なうことが可能な眼鏡フレームの蝶番構造を提供することをも目的とする。
【０００９】
【課題を解決するための手段】
前記目的を達成するため、本発明に係る眼鏡フレームの蝶番構造は、フロントと他の部品とを連結する眼鏡フレームの蝶番構造であって、フロント側の蝶番耳と他の部品側の蝶番耳とを備え、前記フロント側の蝶番耳と前記他の部品側の蝶番耳のいずれか一方の蝶番耳に、先端が開口し、少なくとも先端から所定の長さを有する部分が中空状である軸体が立設されていると共に、他方の蝶番耳には、前記軸体を挿通するための貫通孔が設けられており、前記軸体を前記貫通孔に挿通し、かつ、前記軸体の先端部を前記貫通孔の先端部にカシメ止着することにより、前記他の部品側の蝶番耳が前記フロント側の蝶番耳に対して回動自在に支持されていることを特徴とする。
【００１０】
この眼鏡フレームの蝶番構造によれば、フロント側の蝶番耳と他の部品側の蝶番耳のいずれか一方の蝶番耳の貫通孔に他方の蝶番耳の軸体を挿通し、軸体の先端部を貫通孔の先端部にカシメ止着するだけで、他の部品をフロントに連結することができるので、組立作業性の良い眼鏡フレームの蝶番構造を提供することができる。また、眼鏡用のネジ材を用いなくても、他の部品側の蝶番耳の、フロント側の蝶番耳からの脱落を防止することができるので、部品点数の削減を図ることもできる。
【００１１】
また、前記本発明の眼鏡フレームの蝶番構造においては、前記他の部品側の蝶番耳と前記フロント側の蝶番耳の摺接部分に、両者間の摩擦抵抗を緩和する摩擦緩和部材が介在されているのが好ましい。この好ましい例によれば、例えば、テンプルの開閉動作や表フロントフレームの跳ね上げ動作をスムーズに行なうことができる。また、この場合には、前記摩擦緩和部材が、前記他の部品側の蝶番耳と前記フロント側の蝶番耳のいずれか一方の蝶番耳と他方の蝶番耳との間に介在される第１摩擦緩和部材と、前記軸体の外周面と前記貫通孔の内周面との間に介在される両端が開口した円筒状の第２摩擦緩和部材とからなるのが好ましく、さらには、前記第１摩擦緩和部材と前記第２摩擦緩和部材とが一体成形されているのが好ましい。また、この場合には、前記摩擦緩和部材が、洋銀、金、銀、白金、ステンレス鋼、ニッケル及びクロムからなる群から選ばれる１つの金属材料あるいは樹脂材料からなるのが好ましい。この好ましい例によれば、軽量化と耐食性の向上を目的として、眼鏡フレームの材料としてチタン合金を用いた場合であっても、例えば、テンプル開閉時や表フロントフレームの跳ね上げ時にチタン合金同士が直接摺動することはないので、テンプルの開閉動作や表フロントフレームの跳ね上げ動作をスムーズに行なうことが可能となる。
【００１２】
また、前記本発明の眼鏡フレームの蝶番構造においては、前記貫通孔の先端部が、先端に近づくにしたがって径が拡がるテーパ状に形成されているのが好ましい。また、前記本発明の眼鏡フレームの蝶番構造においては、前記貫通孔の先端部に、前記貫通孔の他の部分よりも径の大きい段差部が設けられているのが好ましい。これらの好ましい例によれば、軸体の先端部を貫通孔の先端部にカシメ止着することができる。
【００１３】
また、前記本発明の眼鏡フレームの蝶番構造においては、前記軸体が中空円筒状に形成されているのが好ましい。また、この場合には、前記軸体の内周面に雌ネジ部が形成され、前記雌ネジ部にネジ材が螺着されているのが好ましい。この好ましい例によれば、他の部品側の蝶番耳の、フロント側の蝶番耳からの脱落を防止することができると共に、蝶番の強度を確保することもできる。また、この場合には、前記雌ネジ部が、前記軸体が立設された前記蝶番耳にも連続して形成されているのが好ましい。この好ましい例によれば、蝶番の強度をさらに向上させることができる。この場合にはさらに、前記貫通孔の先端部が、先端に近づくにしたがって径が拡がるテーパ状に形成され、かつ、前記ネジ材の雄ネジ部と頭部との間の部分が、前記頭部に近づくにしたがって径が拡がるテーパ状に形成されているのが好ましい。この好ましい例によれば、ネジ材を雌ネジ部に捩じ込む段階で、ネジ材に設けられたテーパ状部分の押圧作用により、軸体の先端部を貫通孔の先端部にカシメ止着することができる。また、この場合には、前記軸体の先端部に、前記軸体の長手方向に沿わせて複数のスリットが形成されているのが好ましい。この好ましい例によれば、軸体の先端部を貫通孔の先端部に容易にカシメ止着することができる。
【００１４】
また、前記本発明の眼鏡フレームの蝶番構造においては、前記他の部品側の蝶番耳と前記フロント側の蝶番耳が、ともに円柱状に形成されているのが好ましい。
【００１５】
【発明の実施の形態】
以下、智（ち）とテンプル（つる部）とを連結する蝶番構造を例に挙げて、本発明をさらに具体的に説明する。
【００１６】
図１は本発明の一実施の形態における眼鏡フレームの蝶番構造を示す分解斜視図、図２はその組付け状態を示す斜視図、図３は図２のＡ−Ａ断面図である。尚、本実施の形態における眼鏡の基本構成は、図７に示した一般的な眼鏡と同様であるため、本実施の形態においては、図７をも参照しながら説明する。
【００１７】
図７に示すように、本実施の形態の眼鏡は、レンズ１５を保持固定するための左右一対のリム（レンズ縁）１６と、左右一対のリム１６を連結するブリッジ１７と、左右一対のリム１６の両端部に設けられた智（ち）１９と（リム１６とブリッジ１７と智１９を総称して『フロント』という）、左右一対のリム１６の鼻と接する部分に設けられた一対のパッド（鼻当て）１８と、智１９に蝶番１を介して連結されたテンプル（つる部）２１と、テンプル２１の、耳と接する部分に取り付けられたプラスチック製のモダン（先セル）２２とにより構成されている。ここで、眼鏡フレームは、パッド１８、モダン２２を除いて、チタン合金を用いて成形されている。
【００１８】
図１〜図３に示すように、本実施の形態における眼鏡フレームの蝶番１は、テンプル側蝶番耳（他の部品側の蝶番耳）２とフロントの両端部分に設けられた智側蝶番耳（フロント側の蝶番耳）３とを備えている。そして、テンプル側蝶番耳２と智側蝶番耳３は、互いに接合され、眼鏡用のネジ材４を螺着することによって回動自在に連結されている。
【００１９】
テンプル側蝶番耳２は、直径約３ｍｍ、高さ（厚み）約１ｍｍの円柱状に形成されており、その周面には、テンプル２１が一体的に連結されている。テンプル側蝶番耳２の上面には、その中央部分に先端が開口した中空円筒状の軸体５が立設されている。軸体５には、その先端からほぼ中央部にかけて、長手方向に沿わせて等間隔に４つのスリット６が形成されている。このように先端が開口した中空円筒状の軸体５に４つのスリット６を形成したことにより、軸体５のスリット６間の各片を外方に向けて容易に開くことができる。また、軸体５の内周面には、スリット６の下端部から下方に向けて雌ネジ部７が形成されており、この雌ネジ部７はテンプル側蝶番耳２にも連続して形成されている。
【００２０】
智側蝶番耳３も、直径約３ｍｍ、高さ（厚み）約１ｍｍの円柱状に形成されており、その周面には、智１９が一体的に連結されている。智側蝶番耳３には、その中央部分に上下に貫通する貫通孔８が設けられており、テンプル側蝶番耳２の上面と智側蝶番耳３の下面とを互いに接合させる際に、この貫通孔８にテンプル側蝶番耳２の軸体５が挿通される。貫通孔８は、そのほぼ中央部から上端（先端）にかけて次第に径が拡がるテーパ状に形成された斜面部８ａを有しており、テンプル側蝶番耳２の軸体５を貫通孔８に挿通させた後、軸体５のスリット６間の各片を外方に向けて開くことにより、当該各片を貫通孔８のテーパ状斜面部８ａにカシメ止着することができる。そして、このように軸体５のスリット６間の各片を貫通孔８のテーパ状斜面部８ａにカシメ止着することにより、テンプル側蝶番耳２の、智側蝶番耳３からの脱落を防止しつつ、テンプル側蝶番耳２を智側蝶番耳３に対して回動自在に支持することができる。このように、智側蝶番耳３の貫通孔８にテンプル側蝶番耳２の軸体５を挿通し、軸体５の上部（先端部）を貫通孔８の上部（先端部）にカシメ止着するだけで、テンプル２１を智１９に連結することができるので、組立作業性の良い眼鏡フレームの蝶番構造を提供することができる。尚、智側蝶番耳３の外周面には、智１９の連結部との対向位置から少し外側にずらして鉤状のストッパ１２が取り付けられている。このため、テンプル２１を智１９に対して外側方向に回動させようとした場合には、テンプル２１がストッパ１２と係合して、その回動が規制されるが、テンプル２１を智１９に対して内側方向に回動させようとした場合には、テンプル２１の回動が規制されることはない。その結果、テンプル２１を智１９に対して内側方向にのみ回動させて、テンプル２１を折り畳むことが可能となる。
【００２１】
眼鏡用のネジ材４は、雄ネジ部４ａの上端から頭部４ｂにかけて次第に径が拡がるテーパ状に形成された斜面部４ｃを有している。このため、テンプル側蝶番耳２の軸体５を智側蝶番耳３の貫通孔８に挿通させた後、テンプル側蝶番耳２と軸体５の内周面に形成された雌ネジ部７にネジ材４を螺着する際に、軸体５のスリット６間の各片がネジ材４のテーパ状斜面部４ｃによって外方に向けて押圧され、当該各片が貫通孔８のテーパ状斜面部８ａにカシメ止着される。
【００２２】
上記したように、軸体５のスリット６間の各片を貫通孔８のテーパ状斜面部８ａにカシメ止着することにより、テンプル側蝶番耳２の、智側蝶番耳３からの脱落を防止しつつ、テンプル側蝶番耳２を智側蝶番耳３に対して回動自在に支持することができるが、さらにこのようにネジ材４を螺着することにより、テンプル側蝶番耳２の、智側蝶番耳３からの脱落を確実に防止することができると共に、蝶番１の強度を確保することもできる。
【００２３】
ところで、最近、軽量化と耐食性の向上を目的として、本実施の形態のようなチタン合金を用いた眼鏡フレームが広く普及している。しかし、このようにチタン合金を用いて眼鏡フレームを構成した場合には、テンプル２１を開閉するときの、テンプル側蝶番耳２の上面と智側蝶番耳３の下面との間の（チタン合金同士の）摩擦抵抗、及びテンプル側蝶番耳２の軸体５の外周面と智側蝶番耳３の貫通孔８の内周面との間の（チタン合金同士の）摩擦抵抗が大きくなり、テンプル２１の開閉動作をスムーズに行なうことが困難となる。そこで、本実施の形態においては、軸体５を含むテンプル側蝶番耳２と智側蝶番耳３の摺接部分に、洋銀（ｎｉｃｋｅｌ  ｓｉｌｖｅｒ；Ｃｕ−Ｎｉ合金のニッケルの一部を亜鉛に置き換えたもの）からなる摩擦緩和部材９を介在させることとしている。これにより、テンプル２１を開閉するときにチタン合金同士が直接摺動することはないので、テンプル２１の開閉動作をスムーズに行なうことが可能となる。
【００２４】
本実施の形態で用いられる摩擦緩和部材９は、テンプル側蝶番耳２の上面と智側蝶番耳３の下面との間に介在される円板状の第１摩擦緩和部材９ａと、第１摩擦緩和部材９ａの中央部分に立設され、テンプル側蝶番耳２の軸体５の外周面と智側蝶番耳３の貫通孔８の内周面との間に介在される上下端が開口した円筒状の第２摩擦緩和部材９ｂとにより一体成形されている。この摩擦緩和部材９を用いる場合には、テンプル側蝶番耳２の軸体５を智側蝶番耳３の貫通孔８に挿通させる前に、摩擦緩和部材９の第２摩擦緩和部材９ｂを智側蝶番耳３の貫通孔８に挿通し、第２摩擦緩和部材９ｂの上部を貫通孔８のテーパ状斜面部８ａにカシメ止着することにより、摩擦緩和部材９が智側蝶番耳３に予め取り付けられる。
【００２５】
次に、智１９にテンプル２１を連結する方法について、図４を参照しながら説明する。図４は本実施の形態における智にテンプルを連結する方法を示す工程図である。
【００２６】
まず、図４（ａ）に示すように、摩擦緩和部材９の第２摩擦緩和部材９ｂを智側蝶番耳３の貫通孔８に挿通し、摩擦緩和部材９の第１摩擦緩和部材９ａを智側蝶番耳３の下面に当接させる。次に、図４（ｂ）に示すように、下端部が智側蝶番耳３の貫通孔８のテーパ状斜面部８ａにフィットするように形成されたカシメ工具１０を用いて、第２摩擦緩和部材９ｂの上部を貫通孔８のテーパ状斜面部８ａにカシメ止着する。これにより、摩擦緩和部材９が智側蝶番耳３に取り付けられる（図４（ｃ）参照）。次に、図４（ｄ）に示すように、摩擦緩和部材９が取り付けられた智側蝶番耳３の貫通孔８にテンプル側蝶番耳２の軸体５を挿通し、テンプル側蝶番耳２の上面と智側蝶番耳３の下面を互いに接合させる（図４（ｅ）参照）。次に、図４（ｅ）に示すように、テンプル側蝶番耳２と軸体５の内周面に形成された雌ネジ部７に、ネジ材４を緩く螺着して、ネジ材４を仮止めする。最後に、図４（ｆ）に示すように、ドライバ１１を用いて、ネジ材４を雌ネジ部７に完全に捩じ込む。そして、このようにネジ材４を雌ネジ部７に完全に捩じ込む段階で、ネジ材４に設けられたテーパ状斜面部４ｃの押圧作用により、軸体５のスリット６間の各片が貫通孔８のテーパ状斜面部８ａに第２摩擦緩和部材９ｂを介してカシメ止着される。以上により、智１９にテンプル２１が連結される。
【００２７】
尚、本実施の形態においては、レンズ１５を保持固定するためのリム１６がレンズ１５の全周にわたって設けられている場合（フルリムフレーム）を例に挙げて説明したが、本発明は、レンズの上部にのみリムを設け、レンズの残りの部分をナイロン糸などで引っ張ってレンズを固定するタイプの眼鏡フレーム（ハーフリムフレーム）や、レンズに穴をあけ、ネジや接着剤などで固定するタイプの眼鏡フレーム（縁なしフレーム）等にも適用可能である。
【００２８】
また、本実施の形態においては、摩擦緩和部材９の材料として洋銀を用いているが、摩擦緩和部材９の材料としてはチタン合金以外であればよく、例えば、金、銀、白金、ステンレス鋼、ニッケル、クロム等の金属材料や、ポリオキシメチレン（アセタール樹脂）等の樹脂材料を用いることもできる。
【００２９】
また、本実施の形態においては、智１９にテンプル２１を連結する際に、眼鏡用のネジ材４を用いているが、上記したように、軸体５のスリット６間の各片を貫通孔８のテーパ状斜面部８ａにカシメ止着することにより、テンプル側蝶番耳２の、智側蝶番耳３からの脱落を防止することができるので、必ずしも眼鏡用のネジ材４を用いる必要はない。このため、部品点数の削減を図ることができる。そして、眼鏡用のネジ材４を用いない場合には、第２摩擦緩和部材９ｂの上部を貫通孔８のテーパ状斜面部８ａにカシメ止着するときに使用したカシメ工具１０を用いて、軸体５のスリット６間の各片を貫通孔８のテーパ状斜面部８ａにカシメ止着すればよい。
【００３０】
また、本実施の形態においては、軸体５の上端部分に４つのスリット６を形成しているが、必ずしもスリットを設ける必要はなく、また、スリット６の数も４つに限定されるものではない。上記のように智１９にテンプル２１を連結する際に眼鏡用のネジ材４を用いない場合には、スリットを設けない方が、カシメの強度を高めることができて望ましい。また、眼鏡用のネジ材４を用いない場合には、軸体５内にネジ材４を通すための孔を設ける必要はないので、軸体５は、上端が開口し、少なくとも上端から所定の長さを有する部分のみが中空状であれば足りる。
【００３１】
また、本実施の形態においては、テンプル２１の、外側方向への回動を規制するために、智側蝶番耳３の外周面にテンプル２１と係合する鉤状のストッパ１２を設けているが、テンプル２１の、外側方向への回動を規制するためのストッパは、かかる構成のストッパ９に限定されるものではない。例えば、図５に示すように、智側蝶番耳３の径をテンプル側蝶番耳２の径よりも大きくし、智側蝶番耳３の下面の周縁部にテンプル２１と係合するストッパ２３を垂設するようにしてもよい。
【００３２】
また、本実施の形態においては、貫通孔８が、そのほぼ中央部から上端にかけて次第に径が拡がるテーパ状に形成された斜面部８ａを有する構成となっているが、必ずしもこのような構成に限定されるものではない。例えば、図６に示すように、貫通孔８の上部に、貫通孔８の他の部分よりも径の大きい段差部１３を設ける構成であってもよく、この構成によっても軸体５の上部を貫通孔８の上部にカシメ止着することができる。
【００３３】
また、本実施の形態においては、テンプル側蝶番耳２の上面に軸体５が立設され、智側蝶番耳３に軸体５を挿通するための貫通孔８が設けられているが、必ずしもこの構成に限定されるものではなく、智側蝶番耳の上面に軸体を立設し、テンプル側蝶番耳に軸体を挿通するための貫通孔を設けるようにしてもよい。
【００３４】
また、本実施の形態においては、テンプル側蝶番耳２と智側蝶番耳３が、ともに円柱状に形成されている場合を例に挙げて説明したが、テンプル側蝶番耳２及び智側蝶番耳３の形状は円柱状に限定されるものではなく、例えば、四角柱状など、いかなる形状であってもよい。
【００３５】
また、本実施の形態においては、本発明の眼鏡フレームの蝶番構造を、智（ち）とテンプル（つる部）とを連結する蝶番構造を例に挙げて説明したが、本発明は必ずしも智とテンプルとを連結する蝶番構造に限定されるものではなく、例えば、フロントに跳ね上げ式の表フロントフレームを連結する蝶番構造にも適用可能である。そして、このようにフロントに跳ね上げ式の表フロントフレームを連結する蝶番構造に、本発明の眼鏡フレームの蝶番構造を適用すれば、フロントと表フロントフレームとの組立作業性を良好なものとすることができ、また、眼鏡フレームの材料としてチタン合金を用いた場合の表フロントフレームの跳ね上げ動作をスムーズに行なうこともできる。
【００３６】
【発明の効果】
以上説明したように、本発明の眼鏡フレームの蝶番構造によれば、フロント側の蝶番耳と他の部品側の蝶番耳のいずれか一方の蝶番耳の貫通孔に他方の蝶番耳の軸体を挿通し、軸体の先端部を貫通孔の先端部にカシメ止着するだけで、他の部品をフロントに連結することができるので、組立作業性の良い眼鏡フレームの蝶番構造を提供することができる。また、眼鏡用のネジ材を用いなくても、他の部品側の蝶番耳の、フロント側の蝶番耳からの脱落を防止することができるので、部品点数の削減を図ることもできる。また、前記他の部品側の蝶番耳と前記フロント側の蝶番耳の摺接部分に、両者間の摩擦抵抗を緩和する摩擦緩和部材を介在させ、前記摩擦緩和部材を、洋銀、金、銀、白金、ステンレス鋼、ニッケル及びクロムからなる群から選ばれる１つの金属材料あるいは樹脂材料によって構成することにより、軽量化と耐食性の向上を目的として、眼鏡フレームの材料としてチタン合金を用いた場合であっても、テンプル開閉時や表フロントフレームの跳ね上げ時にチタン合金同士が直接摺動することはないので、テンプルの開閉動作や表フロントフレームの跳ね上げ動作をスムーズに行なうことが可能となる。
【図面の簡単な説明】
【図１】本発明の一実施の形態における眼鏡フレームの蝶番構造を示す分解斜視図
【図２】本発明の一実施の形態における眼鏡フレームの蝶番構造の組付け状態を示す斜視図
【図３】図２のＡ−Ａ断面図
【図４】本発明の一実施の形態における智にテンプルを連結する方法を示す工程図
【図５】本発明の一実施の形態におけるテンプルの回動規制手段の他の例を示す斜視図
【図６】本発明の一実施の形態における智側蝶番耳の貫通孔の他の例を示す断面図
【図７】眼鏡の全体構成の一例を示す斜視図
【符号の説明】
１  蝶番
２  テンプル側蝶番耳
３  智側蝶番耳
４  ネジ材
４ａ  雄ネジ部
４ｂ  ネジ材の頭部
４ｃ  テーパ状斜面部
５  軸体
６  スリット
７  雌ネジ部
８  貫通孔
８ａ  テーパ状斜面部
９  摩擦緩和部材
９ａ  第１摩擦緩和部材
９ｂ  第２摩擦緩和部材
１３  段差部
１９  智
２１  テンプル
【図１】
2004258545.tif 000003
【図２】
2004258545.tif 000004
【図３】
2004258545.tif 000005
【図４】
2004258545.tif 000006
【図５】
2004258545.tif 000007
【図６】
2004258545.tif 000008
【図７】
2004258545.tif 000009